(57)【要約】【課題】印刷によって絵柄表現の自由度が高い含浸紙を用いながら食器内側から口縁を経て食器外側に連続する絵柄が形成されるようにし、化粧性の高い碗状食器を得る。【解決手段】含浸紙７による絵柄部９を、食器内周面１４の内周面上部１５から口縁部８を経て食器外周面１０に連続させた。【選択図】図１
2015020388.tif 000002
【特許請求の範囲】
【請求項１】
金型コア側碗状食器製品面部に溝状の碗状食器口縁形成面部を連続させて有しているコア型と金型キャビティ側碗状食器製品面部を有しているキャビティ型との間にメラミン樹脂からなる熱硬化性樹脂を配して圧縮成形された碗状食器であり、
食器外周面に、口縁部から下方に離間した高さ位置にして、前記コア型とキャビティ型との金型パーティング面位置に対応する対応部が設けられていて、
食器内周面での口縁部に沿った内周面上部から前記口縁部を経て前記対応部までの範囲に連続するようにして前記圧縮成形時に配された絵柄付け用メラミン樹脂含浸紙の絵柄部であって、該絵柄部が、前記内周面上部から口縁部を経て食器外周面に連続していることを特徴とする碗状食器。
【発明の詳細な説明】
【技術分野】
【０００１】
本発明は熱硬化性樹脂を材料としてこれを圧縮成形して得られる碗状食器に関するものである。
【背景技術】
【０００２】
従来、熱硬化性樹脂を材料として圧縮成形によりなる碗状食器において、口縁を絵柄付きの部分とした食器を得る場合、特許文献１に示されているように耐熱インクにて絵柄を印刷しメラミン樹脂（樹脂液）を含浸させて乾燥させた含浸紙（フォイル）を、例えば、食器成形工程の途中である一次成形時に食器の内側になる面に配するとともに、もう一枚の含浸紙を二次成形時に食器の外側になる面に配して成形する方法がある。
【０００３】
また、特許文献２に示されているように、金型の内、上方に凸のコア型における碗状食器製品面部に連続する溝状の口縁形成面部の部分に、食器の本体部分の色に異なる色の材料を配するとともに、コア型の上部に食器本体の材料を配して、このコア型とキャビティ型とを型合わせして圧縮成形することで、口縁部分の樹脂色と食器本体の樹脂色とが異なるようにして碗状食器を得る方法がある。
【先行技術文献】
【特許文献】
【０００４】
【特許文献１】特開２００５−２２５０１９号公報
【特許文献２】特開昭５２−００６７６０号公報
【発明の概要】
【発明が解決しようとする課題】
【０００５】
しかしながら、上述した食器の内側になる部分と外側になる部分とのそれぞれに含浸紙を配置して成形するものでは、その特許文献１にも示されているように口縁に、含浸紙の端面も含む各樹脂層の端面が位置し、内側の含浸紙より形成された絵柄と外側の含浸紙により形成された絵柄とを連続した絵柄にすることが不可能である。
【０００６】
また、碗状食器の口縁の成形材料の色を食器本体の成形材料の色と異なるようにして成形した食器では、その口縁部を単一の色彩にするだけにとどまるものであり、口縁の周方向に不連続な文様や多色の文様を表わすことができず、絵柄表現の自由度が極めて乏しいという不具合がある。
【０００７】
そこで本発明は上記事情に鑑み、印刷によって絵柄表現の自由度が高い含浸紙を用いながら食器内側から口縁を経て食器外側に連続する絵柄が形成されるようにすることを課題とし、化粧性の高い碗状食器を得ることを目的とするものである。
【課題を解決するための手段】
【０００８】
本発明は上記課題を考慮してなされたもので、金型コア側碗状食器製品面部に溝状の碗状食器口縁形成面部を連続させて有しているコア型と金型キャビティ側碗状食器製品面部を有しているキャビティ型との間にメラミン樹脂からなる熱硬化性樹脂を配して圧縮成形された碗状食器であり、
食器外周面に、口縁部から下方に離間した高さ位置にして、前記コア型とキャビティ型との金型パーティング面位置に対応する対応部が設けられていて、
食器内周面での口縁部に沿った内周面上部から前記口縁部を経て前記対応部までの範囲に連続するようにして前記圧縮成形時に配された絵柄付け用メラミン樹脂含浸紙の絵柄部であって、該絵柄部が、前記内周面上部から口縁部を経て食器外周面に連続していることを特徴とする碗状食器を提供して、上記課題を解消するものである。
【発明の効果】
【０００９】
本発明によれば、絵柄付け用メラミン樹脂含浸紙で形成された絵柄部が、内周面上部から口縁部を経て食器外周面に連続しているので、食器内周面側から口縁を経て食器外周面側に掛けて複雑な文様などを形成することも可能となってその口縁の化粧性が向上した碗状容器が簡単に得られるようになるなど、実用性に優れた効果を奏するものである。
【図面の簡単な説明】
【００１０】
【図１】本発明に係る実施の例を斜視にて示す説明図である。
【図２】実施の例を断面で示す説明図である。
【図３】実施の例の要部を拡大した断面で示す説明図である。
【図４】実施の例を成形する成形金型を示す説明図である。
【発明を実施するための形態】
【００１１】
つぎに本発明を図示の実施の形態に基づいて詳細に説明する。図中１は碗状食器で、該碗状食器１は、成形金型での下側の型であって上方に凸となる部分のあるコア型２と、上側の型であってコア型２の凸の部分に応じた凹の部分があるキャビティ型３との間にメラミン樹脂からなる熱硬化性樹脂の材料を配して圧縮成形されたものである。
【００１２】
図４に示されているように上記コア型２は、凸のコア側碗状食器製品面部４に溝状の碗状食器口縁形成面部５を連続させた型面を有し、上記キャビティ型３は、前記コア側碗状食器製品面部４と溝状の碗状食器口縁形成面部５とに対応した凹のキャビティ側碗状食器製品面部６のある型面を有している。本実施の形態である碗状食器１を成形するに際しては、コア型２の碗状食器口縁形成面部５の部分に、絵柄付け用メラミン樹脂含浸紙７を配置するとともに、メラミン樹脂からなる熱硬化性樹脂であってプレヒートされた材料をコア側碗状食器製品面部４の所要の部分に配置した状態にし、コア型２とキャビティ型３とを型合わせして圧縮成形している。
【００１３】
上記圧縮成形に際して用いられる上記含浸紙７は、食器本体を成形する上記材料とは異なる色彩にして印刷形成された絵柄を有している。そして、碗状食器１の圧縮成形に際し、上述したようにコア型２の碗状食器口縁形成面部５の部分に前記含浸紙７を配置しているので、成形された碗状食器１では口縁部８に含浸紙７が配置された状態となっており、その含浸紙７の絵柄部９が口縁部８に位置して目視できるように成形されている。なお、含浸紙７において前記絵柄部9とする領域は、その含浸紙7の全体としている。また、図４において示されている含浸紙７は、碗状食器口縁形成面部５の部分に配置する点の説明を明瞭にするために断面で表現されているものであり、この実施の例で碗状食器口縁形成面部５の部分に置く含浸紙７自体は環状となる。
【００１４】
上記碗状食器１にあっては、図１と図２に示すように食器外周面１０に、口縁部８から下方に離間した高さ位置にしてコア型２とキャビティ型３との金型パーティング面位置ａに対応する対応部１１が設けられている。従来の圧縮成形により成形される碗状食器においては口縁部の位置が前記金型パーティング面位置に対応しているものであるが、前述のように本実施の形態である碗状食器１では、上記溝状の碗状食器口縁形成面部５の部分のあるコア型２を用いていて、口縁部８から下方に離間した高さ位置に対応部１１がある。
【００１５】
図２及び図３の断面で示されているように、口縁部８の外端位置１２から上記対応部１１までの外周面上部１３は、僅かながらも裾広がり状に広がる傾斜した斜面として形成されており、圧縮成形での型離れが良好となるようにしている。
【００１６】
そして、上記含浸紙７は、食器内周面１４での口縁部８に沿った内周面上部１５から口縁部８を経て上記対応部１１までの範囲Ａに位置していて、この範囲Ａ内にして上記絵柄部９がある。よって、絵柄部９自体は、前記内周面上部１５から口縁部８を経て、さらにその口縁部８から外部下方となる外周面上部１３に連続して設けられている。
【００１７】
このように絵柄部９が内周面上部１５から口縁部８を経て外周面上部１３に連続し、含浸紙７に印刷形成した精細な印刷絵柄を利用することで、その口縁部８の視覚的表現の自由度が頗る向上する。よって陶磁器の口縁に顔料を施した碗状物と同様の趣のある食器とすることができる。絵柄部９は色数に限定があるものではなく、多色であってもよいものであり、さらには各種の細かな文様などを表現するものであってもよい。勿論、表現する文様などが連続していてもよいし、不連続であってもよいものである。
【符号の説明】
【００１８】
１…碗状食器
２…コア型
３…キャビティ型
７…絵柄付け用メラミン樹脂含浸紙
８…口縁部
９…絵柄部
１０…食器外周面
１１…対応部
１３…外周面上部
１４…食器内周面
１５…内周面上部
【図１】
2015020388.tif 000003
【図２】
2015020388.tif 000004
【図３】
2015020388.tif 000005
【図４】
2015020388.tif 000006